(57)【要約】【課題】排気ダクトにおいて、ダクトプレートと保温パネルとの連結部材の損傷を防止して耐久性の向上を図る。【解決手段】筒形状をなすダクトプレート２１と、複数の分割パネル３１から構成されてこのダクトプレート２１の内面側に所定間隔をあけて配置される保温パネル２３と、分割パネル３１における外面側に固定されるリブ４１と、ダクトプレート２１と保温パネル２３との間に配置される保温材２２と、ダクトプレート２１と保温パネル２３とを連結する連結部材２４とを設ける。【選択図】図１
2014173611.tif 000002
【特許請求の範囲】
【請求項１】
筒形状をなすダクトプレートと、
複数の分割パネルから構成されて前記ダクトプレートの内面側に所定間隔をあけて配置される保温パネルと、
前記分割パネルにおける外面側に固定される補強部材と、
前記ダクトプレートと前記保温パネルとの間に配置される保温材と、
前記ダクトプレートと前記保温パネルとを連結する連結部材と、
を有することを特徴とする排気ダクト。
【請求項２】
前記分割パネルは、矩形状をなす平面パネルであり、前記補強部材は、前記分割パネルの外縁より内側に配置されることで構成されることを特徴とする請求項１に記載の排気ダクト。
【請求項３】
前記補強部材は、リング形状をなすことを特徴とする請求項１または請求項２に記載の排気ダクト。
【請求項４】
前記補強部材は、複数のリング形状をなすことを特徴とする請求項３に記載の排気ダクト。
【請求項５】
前記補強部材は、リング形状をなす第１補強部と、前記第１補強部の内側に配置される第２補強部とを有することを特徴とする請求項１または請求項２に記載の排気ダクト。
【請求項６】
前記第２補強部は、リング形状をなすことを特徴とする請求項５に記載の排気ダクト。
【請求項７】
前記第２補強部は、平面視がＴ字形状をなすことを特徴とする請求項５に記載の排気ダクト。
【請求項８】
前記複数の分割パネルは、端部同士が重合し、その厚さ方向の両側から一対の支持プレートにより挟持されて構成されることを特徴とする請求項１から請求項７のいずれか一つに記載の排気ダクト。
【発明の詳細な説明】
【技術分野】
【０００１】
本発明は、例えば、圧縮した高温・高圧の空気に対して燃料を供給して燃焼し、発生した燃焼ガスをタービンに供給して回転動力を得るガスタービンにおいて、このガスタービンで燃焼した排ガスを排出するための排気ダクトに関するものである。
【背景技術】
【０００２】
ガスタービンは、圧縮機と燃焼器とタービンにより構成されており、空気取入口から取り込まれた空気が圧縮機によって圧縮されることで高温・高圧の圧縮空気となり、燃焼器にて、この圧縮空気に対して燃料を供給して燃焼させ、高温・高圧の燃焼ガスがタービンを駆動し、このタービンに連結された発電機を駆動する。この場合、タービンは、車室内に複数の静翼及び動翼が交互に配設されて構成されており、燃焼ガスにより動翼を駆動することで発電機が連結される出力軸を回転駆動している。そして、タービンを駆動した燃焼ガスは、排気ガスなって排気ダクトを通って大気に放出される。
【０００３】
上述したガスタービンにて、排気ダクトは、排ガスの高温化に対応するため、内面側に保温材が配置されている。即ち、従来の排気ダクトは、筒形状をなすダクトの内面に所定間隔をあけて複数のスタッドボルトが固定されると共に、保温材が一様に付設され、スタッドボルトの先端部と保温パネルとがナットにより固定されて構成されている。
【０００４】
このような従来の排気ダクトとして、例えば、下記特許文献１から３に記載されたものがある。
【先行技術文献】
【特許文献】
【０００５】
【特許文献１】特許第３６５９８１９号公報
【特許文献２】特開平０９−０１４５７６号公報
【特許文献３】特開平１１−１１７７６８号公報
【発明の概要】
【発明が解決しようとする課題】
【０００６】
上述した従来の排気ダクトは、内部に高温の排ガスが高速で流れることから、常時励振力を受けることとなり、保温パネル、スタッドボルト、ダクトプレートが振動しやすい構成となっている。この保温パネルは、複数の分割パネルから構成されており、排ガスからの励振力を受け、１枚のパネルが１個または複数個の節を境として板厚方向に向けて凹凸状に振幅する。従来の排気ダクトにて、スタッドボルトは、基端部がダクトプレートの内面に溶接により固定され、先端部が保温パネル（分割パネル）にナットで固定されている。そのため、スタッドボルトは、保温パネルの振動により、その基端部の溶接箇所に応力が作用し、損傷してしまうおそれがある。
【０００７】
本発明は上述した課題を解決するものであり、ダクトプレートと保温パネルとの連結部材の損傷を防止して耐久性の向上を図る排気ダクトを提供することを目的とする。
【課題を解決するための手段】
【０００８】
上記の目的を達成するための本発明の排気ダクトは、筒形状をなすダクトプレートと、複数の分割パネルから構成されて前記ダクトプレートの内面側に所定間隔をあけて配置される保温パネルと、前記分割パネルにおける外面側に固定される補強部材と、前記ダクトプレートと前記保温パネルとの間に配置される保温材と、前記ダクトプレートと前記保温パネルとを連結する連結部材と、を有することを特徴とするものである。
【０００９】
従って、流動する排ガスの励振力を受けて保温パネルを構成する分割パネルが節を境として板厚方向に向けて凹凸状に振幅しようとするが、この分割パネルにおける外面側に補強部材が固定されていることから、この分割パネルが振動しにくくなり、連結部材への応力集中を抑制することができ、ダクトプレートと保温パネルとの連結部材の損傷を防止して耐久性の向上を図ることができる。
【００１０】
本発明の排気ダクトでは、前記分割パネルは、矩形状をなす平面パネルであり、前記補強部材は、前記分割パネルの外縁より内側に配置されることで構成されることを特徴としている。
【００１１】
従って、分割パネルは、補強部材により中央部側の曲げ剛性が高くなることで、節を境として板厚方向に向けて凹凸状に振幅しにくくなり、連結部材への応力集中を抑制することができる。
【００１２】
本発明の排気ダクトでは、前記補強部材は、リング形状をなすことを特徴としている。
【００１３】
従って、補強部材をリング形状とすることで、この補強部材が分割パネルの節に跨るように配置されることとなり、分割パネルの振幅を効果的に抑制することができる。
【００１４】
本発明の排気ダクトでは、前記補強部材は、複数のリング形状をなすことを特徴としている。
【００１５】
従って、補強部材を複数のリング形状とすることで、この補強部材が分割パネルの節に跨るように配置されることとなり、分割パネルの振幅を効果的に抑制することができる。
【００１６】
本発明の排気ダクトでは、前記補強部材は、リング形状をなす第１補強部と、前記第１補強部の内側に配置される第２補強部とを有することを特徴としている。
【００１７】
従って、補強部材をリング形状の第１補強部とその内側に配置される第２補強部とにより構成することで、この補強部材は、分割パネルが振動する複数のモードにおける節に跨るように配置されることとなり、分割パネルの振幅を効果的に抑制することができる。
【００１８】
本発明の排気ダクトでは、前記第２補強部は、リング形状をなすことを特徴としている。
【００１９】
従って、第２補強部をリング形状とすることで、簡単な構成で容易に複数の振動モードにおける分割パネルの振幅を抑制することができる。
【００２０】
本発明の排気ダクトでは、前記第２補強部は、平面視がＴ字形状をなすことを特徴としている。
【００２１】
従って、第２補強部をＴ字形状とすることで、簡単な構成で容易に複数の振動モードにおける分割パネルの振幅を抑制することができる。
【００２２】
本発明の排気ダクトでは、前記複数の分割パネルは、端部同士が重合し、その厚さ方向の両側から一対の支持プレートにより挟持されて構成されることを特徴としている。
【００２３】
従って、分割パネルの端部同士が一対の支持プレートにより挟持されることから、排ガスの流動により保温パネルが振動すると、分割パネル同士が接触状態で相対移動することで摩擦が発生するため、ここで減衰効果により連結部材へ作用する応力を抑制することができる。
【発明の効果】
【００２４】
本発明の排気ダクトによれば、ダクトプレートと複数の分割パネルから構成される保温パネルとの間に保温材を配置し、ダクトプレートと保温パネルとを連結部材により連結し、分割パネルにおける外面側に補強部材を固定するので、分割パネルが振動しにくくなり、連結部材への応力集中を抑制することができ、ダクトプレートと保温パネルとの連結部材の損傷を防止して耐久性の向上を図ることができる。
【図面の簡単な説明】
【００２５】
【図１】図１は、本発明の実施例１に係る排気ダクトにおける保温パネルを構成する分割パネルの正面図である。
【図２】図２は、保温パネルを構成する分割パネルの断面図である。
【図３】図３は、実施例１の排気ダクトにおける保温パネルを構成する分割パネルの作用説明図である。
【図４】図４は、実施例１の排気ダクトを有するガスタービンの概略図である。
【図５】図５は、排気ダクトの断面図である。
【図６】図６は、実施例１の排気ダクトを表す断面図である。
【図７】図７は、本発明の実施例２に係る排気ダクトにおける保温パネルを構成する分割パネルの正面図である。
【図８】図８は、本発明の実施例３に係る排気ダクトにおける保温パネルを構成する分割パネルの正面図である。
【発明を実施するための形態】
【００２６】
以下に添付図面を参照して、本発明に係る排気ダクトの好適な実施例を詳細に説明する。なお、この実施例により本発明が限定されるものではなく、また、実施例が複数ある場合には、各実施例を組み合わせて構成するものも含むものである。
【実施例１】
【００２７】
図１は、本発明の実施例１に係る排気ダクトにおける保温パネルを構成する分割パネルの正面図、図２は、保温パネルを構成する分割パネルの断面図、図３は、実施例１の排気ダクトにおける保温パネルを構成する分割パネルの作用説明図、図４は、実施例１の排気ダクトを有するガスタービンの概略図、図５は、排気ダクトの断面図、図６は、実施例１の排気ダクトを表す断面図である。
【００２８】
実施例１のガスタービンは、図４に示すように、空気を圧縮する圧縮機１１と、この圧縮機１１で圧縮された空気を燃焼する燃焼器１２と、この燃焼器１２で燃料と圧縮空気の混合ガスが燃焼することで生じた燃焼ガス（排ガス）により回転可能なタービン１３とを有しており、圧縮機１１の回転軸に発電機１４が連結されている。
【００２９】
また、ガスタービンは、タービン１３にこのタービン１３から排出される排ガスを案内する排気ダクト１５が連結され、この排気ダクト１５に煙突１６が連結されている。なお、ガスタービンは、排気ダクト１５に煙突１６が連結されずに、排熱回収ボイラ（ＨＲＳＧ）が連結される構成もある。
【００３０】
排気ダクト１５は、図５に示すように、矩形の筒形状をなすダクトプレート２１の内側に保温材２２が所定厚さにわたって配置され、その内側に保温パネル２３が配置されて構成されており、内側に排ガス通路Ｇを形成している。この保温パネル２３は、後述するが、複数の分割パネルから構成されている。複数の連結部材２４は、基端部がダクトプレート２１の内面に固定され、先端部が保温パネル２３（分割パネル３１）を貫通し、固定部材としてのナット２５が螺合している。この連結部材２４は、排気ダクト１５の周方向及び軸方向（排ガスの流れ方向）に所定間隔で複数配置されており、ダクトプレート２１の内側に所定間隔で保温パネル２３（分割パネル３１）を支持することで、ダクトプレート２１と保温パネル２３との間に保温材２２を保持している。
【００３１】
この連結部材２４は、ダクトプレート２１と保温パネル２３とを連結するものであり、一端部がダクトプレート２１の内面に直交するように接触し、溶接部Ｗ１により接合されている。また、連結部材２４は、他端部にねじ部２４ａが形成されており、保温パネル２３を貫通してナット２５が螺合することで、保温パネル２３に締結されている。
【００３２】
保温パネル２３は、複数の分割パネル３１から構成され、この複数の分割パネル３１の端部３１ａ同士が厚さ方向に重合して連結されている。即ち、保温パネル２３は、複数の分割パネル３１の端部３１ａが重なり、各貫通孔３１ｂの位置が適合した状態で、連結部材２４の他端部が貫通している。そして、各分割パネル３１の端部３１ａは、保温材２２側から連結部材２４に固定された支持リング（支持プレート）３２が接触し、排ガス通路Ｇ側からワッシャ（支持プレート）３３が接触した状態で、連結部材２４のねじ部２４ａにナット２５が螺合することで支持されている。この分割パネル３１は、各貫通孔３１ｂの内径が、連結部材２４の外径より大きく設定されることで、連結部材２４に対して分割パネル３１が移動可能となっている。
【００３３】
つまり、複数の分割パネル３１は、重なり合った端部３１ａ同士が支持リング３２とワッシャ３３によりその厚さ方向から挟持され、連結部材２４のねじ部２４ａへのナット２５の螺合により面接触状態で支持される。この場合、ナット２５の螺合度合（締結度合）は、端部３１ａが重なり合った各分割パネル３１が所定の摩擦力を持って摺動できる度合に設定されている。
【００３４】
このように構成された分割パネル３１は、図１及び図２に示すように、リブ（補強部材）４１が固定されている。このリブ４１は、分割パネル３１における外面側、つまり、保温パネル２３における保温材２２側に溶接部Ｗ２により固定されている。
【００３５】
この場合、分割パネル３１は、矩形状（正方形状）をなす平面パネルであり、端部（外縁部）３１ａが重なるように連結され、この端部３１ａの四隅に形成された貫通孔３１ｂに連結部材２４が貫通して締結される。リブ４１は、真円のリング形状をなし、分割パネル３１の端部（外縁部）３１ａより内側に配置されている。
【００３６】
そのため、図６に示すように、排気ダクト１５は、内部に高温の排ガスが高速で流れると、保温パネル２３が励振力を受けて振動し、この保温パネル２３はダクトプレート２１に対して相対移動する。ダクトプレート２１と保温パネル２３は、連結部材２４により連結されていることから、ダクトプレート２１に対して保温パネル２３が振動すると、連結部材２４に応力が作用する。ところが、本実施例にて、保温パネル２３を構成する複数の分割パネル３１にリブ４１が固定されている。そのため、保温パネル２３（分割パネル３１）は、リブ４１により変形しにくくなり、連結部材２４へ作用する応力が低減される。
【００３７】
即ち、図１に示すように、排気ガスの励振力により分割パネル３１に対して、四隅を結ぶと共に互いに交差する２本の節Ｓ１，Ｓ２を有する振動モードが発生したとき、分割パネル３１は、例えば、「＋」の領域で紙面の手前側に変形するとき、「−」の領域で紙面の奥側に変形する。ここで、分割パネル３１は、リング形状のリブ４１が２本の節Ｓ１，Ｓ２と交差するように固定されていることから、各節Ｓ１，Ｓ２での曲げ剛性が上がり、「＋」の領域と「−」の領域で逆方向への変形が抑制される。
【００３８】
また、図３に示すように、排気ガスの励振力により分割パネル３１に対して、端部３１ａと平行をなす２本の節Ｓ１１，Ｓ１２と、端部３１ａと平行をなすと共に２本の節Ｓ１１，Ｓ１２と直交する２本の節Ｓ２１，Ｓ２２を有する振動モードが発生したとき、分割パネル３１は、例えば、「＋」の領域で紙面の手前側に変形するとき、「−」の領域で紙面の奥側に変形する。ここで、分割パネル３１は、リング形状のリブ４１が４本の節Ｓ１１，Ｓ１２，Ｓ２１，Ｓ２２と交差するように固定されていることから、各節Ｓ１１，Ｓ１２，Ｓ２１，Ｓ２２での曲げ剛性が上がり、「＋」の領域と「−」の領域で逆方向への変形が抑制される。
【００３９】
そして、保温パネル２３は、複数の分割パネル３１の端部３１ａ同士が面接触状態で挟持されている。そのため、保温パネル２３が励振力を受けて振動するとき、各分割パネル３１の端部３１ａ同士が摺動して摩擦が発生するため、ここで保温パネル２３の振動が減衰され、連結部材２４へ作用する応力が抑制される。
【００４０】
このように実施例１の排気ダクトにあっては、筒形状をなすダクトプレート２１と、複数の分割パネル３１から構成されてこのダクトプレート２１の内面側に所定間隔をあけて配置される保温パネル２３と、分割パネル３１における外面側に固定されるリブ４１と、ダクトプレート２１と保温パネル２３との間に配置される保温材２２と、ダクトプレート２１と保温パネル２３とを連結する連結部材２４とを設けている。
【００４１】
従って、流動する排ガスの励振力を受けて保温パネル２３を構成する分割パネル３１が節Ｓを境として板厚方向に向けて凹凸状に振幅しようとするが、この分割パネル３１における外面側にリブ４１が固定されていることから、この分割パネル３１の剛性が向上して変形しにくくなり、振動の発生を抑制して連結部材２４への応力集中を抑制することができ、ダクトプレート２１と保温パネル２３との連結部材２４の損傷を防止して耐久性の向上を図ることができる。
【００４２】
実施例１の排気ダクトでは、分割パネル３１を矩形状の平面パネルとし、リブ４１を分割パネル３１の端部（外縁部）３１ａより内側に配置している。従って、分割パネル３１は、リブ４１により中央部側の曲げ剛性が高くなることで、節Ｓを境として板厚方向に向けて凹凸状に振幅しにくくなり、連結部材２４への応力集中を抑制することができる。
【００４３】
実施例１の排気ダクトでは、リブ４１をリング形状としている。従って、リブ４１が分割パネル３１の多くの節Ｓに跨るように配置されることとなり、分割パネル３１の振幅を効果的に抑制することができる。
【００４４】
実施例１の排気ダクトでは、保温パネル２３を複数の分割パネル３１から構成し、複数の分割パネル３１の端部３１ａ同士を重合し、その厚さ方向の両側から支持リング３２及びワッシャ３３により挟持し、連結部材２４のねじ部２４ａにナット２５により締結して支持している。従って、分割パネル３１の端部３１ａ同士が挟持されることから、排ガスの流動により保温パネル２３が振動すると、分割パネル３１同士が接触状態で相対移動することで摩擦が発生するため、ここで減衰効果により連結部材２４へ作用する応力を抑制することができる。
【実施例２】
【００４５】
図７は、本発明の実施例２に係る排気ダクトにおける保温パネルを構成する分割パネルの正面図である。
【００４６】
実施例２において、図７に示すように、分割パネル３１は、リブ（補強部材）５１が固定されている。このリブ５１は、分割パネル３１における外面側に溶接部により固定されている。
【００４７】
この場合、分割パネル３１は、矩形状（正方形状）をなす平面パネルであり、リブ５１は、分割パネル３１の端部（外縁部）３１ａより内側に配置されている。このリブ５１は、複数のリング形状をなす補強部から構成され、第１リング部（第１補強部）５２とその内側に配置される第２リング部（第２補強部）５３とから構成されている。この場合、第１リング部５２は、第２リング部５３より大径に設定され、第１リング部５２の内側に第２リング部５３が配置されている。
【００４８】
そのため、排気ガスの励振力により分割パネル３１に対して、端部３１ａと平行をなす２本の節Ｓ１１，Ｓ１２と、端部３１ａと平行をなすと共に２本の節Ｓ１１，Ｓ１２と直交する２本の節Ｓ２１，Ｓ２２を有する振動モードが発生したとき、分割パネル３１は、例えば、「＋」の領域で紙面の手前側に変形するとき、「−」の領域で紙面の奥側に変形する。ここで、分割パネル３１は、リング形状の２個のリング部５２，５３を有するリブ５１が４本の節Ｓ１１，Ｓ１２，Ｓ２１，Ｓ２２と交差するように固定されていることから、各節Ｓ１１，Ｓ１２，Ｓ２１，Ｓ２２での曲げ剛性が上がり、「＋」の領域と「−」の領域で逆方向への変形が抑制される。
【００４９】
また、排気ガスの励振力により分割パネル３１の中央部に対して、交差する２本の節Ｓ３１，Ｓ３２を有する振動モードが発生したとき、分割パネル３１は、例えば、「＋」の領域で紙面の手前側に変形するとき、「−」の領域で紙面の奥側に変形する。ここで、分割パネル３１は、中央部に第２リング部５３が２本の節Ｓ３１，Ｓ３２と交差するように固定されていることから、各節Ｓ３１，Ｓ３２での曲げ剛性が上がり、「＋」の領域と「−」の領域で逆方向への変形が抑制される。
【００５０】
このように実施例２の排気ダクトにあっては、保温パネル２３を複数の分割パネル３１から構成し、この分割パネル３１における外面側にリブ５１を固定し、このリブ５１を、複数のリング形状をなす第１リング部５２と第１リング部５２の内側に配置される第２リング部５３とから構成している。
【００５１】
従って、流動する排ガスの励振力を受けて保温パネル２３を構成する分割パネル３１が節Ｓを境として板厚方向に向けて凹凸状に振幅しようとするが、この分割パネル３１における外面側にリブ５１が固定されていることから、この分割パネル３１の剛性が向上して変形しにくくなり、振動の発生を抑制して連結部材２４への応力集中を抑制することができ、ダクトプレート２１と保温パネル２３との連結部材２４の損傷を防止して耐久性の向上を図ることができる。
【００５２】
この場合、第１リング部５２の内側に第２リング部５３を配置していることから、各リング部５２，５３が分割パネル３１の振動する複数のモードにおける各節Ｓに跨るように配置されることとなり、分割パネル３１の振幅を効果的に抑制することができる。また、各リング部５２，５３をリング形状とすることで、簡単な構成で容易に複数の振動モードにおける分割パネル３１の振幅を抑制することができる。
【実施例３】
【００５３】
図８は、本発明の実施例３に係る排気ダクトにおける保温パネルを構成する分割パネルの正面図である。
【００５４】
実施例３において、図８に示すように、分割パネル３１は、リブ（補強部材）６１が固定されている。このリブ６１は、分割パネル３１における外面側に溶接部により固定されている。
【００５５】
この場合、分割パネル３１は、矩形状（正方形状）をなす平面パネルであり、リブ６１は、分割パネル３１の端部（外縁部）３１ａより内側に配置されている。このリブ６１は、複数の補強部から構成され、リング形状をなすリング部（第１補強部）６２とその内側に配置される２個の直線形状をなす直線部（第２補強部）６３，６４とから構成されている。この場合、２個の直線部６３，６４は、平面視がＴ字形状をなし、リング部６２の内側でこのリング部６２に連結するように配置されている。
【００５６】
そのため、排気ガスの励振力により分割パネル３１に対して、端部３１ａと平行をなす２本の節Ｓ１１，Ｓ１２と、端部３１ａと平行をなすと共に２本の節Ｓ１１，Ｓ１２と直交する２本の節Ｓ２１，Ｓ２２を有する振動モードが発生したとき、分割パネル３１は、例えば、「＋」の領域で紙面の手前側に変形するとき、「−」の領域で紙面の奥側に変形する。ここで、分割パネル３１は、リング部６２と直線部６３，６４を有するリブ６１が４本の節Ｓ１１，Ｓ１２，Ｓ２１，Ｓ２２と交差するように固定されていることから、各節Ｓ１１，Ｓ１２，Ｓ２１，Ｓ２２での曲げ剛性が上がり、「＋」の領域と「−」の領域で逆方向への変形が抑制される。
【００５７】
このように実施例３の排気ダクトにあっては、保温パネル２３を複数の分割パネル３１から構成し、この分割パネル３１における外面側にリブ６１を固定し、このリブ６１を、リング部６２とその内側の直線部６３，６４により構成している。
【００５８】
従って、流動する排ガスの励振力を受けて保温パネル２３を構成する分割パネル３１が節Ｓを境として板厚方向に向けて凹凸状に振幅しようとするが、この分割パネル３１における外面側にリブ６１が固定されていることから、この分割パネル３１の剛性が向上して変形しにくくなり、振動の発生を抑制して連結部材２４への応力集中を抑制することができ、ダクトプレート２１と保温パネル２３との連結部材２４の損傷を防止して耐久性の向上を図ることができる。
【００５９】
この場合、リング部６２の内側にＴ字形状をなす直線部６３，６４を配置していることから、リング部６２及び直線部６３，６４が分割パネル３１の振動する複数のモードにおける各節Ｓに跨るように配置されることとなり、分割パネル３１の振幅を効果的に抑制することができる。また、リング部６２の内側に直線部６３，６４を配置することで、簡単な構成で容易に複数の振動モードにおける分割パネル３１の振幅を抑制することができる。
【００６０】
なお、上述した実施例２では、リブ５１を２つのリング部５２，５３により構成したが、リング部を３個以上としてもよい。また、リング部は、真円形状に限らず、楕円形状であってもよい。また、上述した実施例３では、リブ６１の内側にＴ字形状をなすように直線部６３，６４を配置したが、直線部は、Ｔ字形状に限らず、Ｘ字形状やＹ字形状などとしてもよい。
【００６１】
また、本発明の補強部材は、リング形状に限らず、Ｔ字形状、Ｘ字形状、Ｙ字形状などとしてもよい。
【００６２】
また、上述した実施例では、排気ダクト１５を矩形断面形状としたが、この形状に限定されるものではなく、円形断面形状であってもよい。
【００６３】
また、上述した実施例では、本発明の排気ダクトをガスタービンの排気系に適用して説明したが、蒸気タービンの排気系にも適用することができ、この場合、排気ガスは、使用済の蒸気である。
【符号の説明】
【００６４】
１１  圧縮機
１２  燃焼器
１３  タービン
１４  発電機
１５  排気ダクト
１６  煙突
２１  ダクトプレート
２２  保温材
２３  保温パネル
２４  連結部材
２５  ナット
３１  分割パネル
３２  支持リング（支持プレート）
３３  ワッシャ（支持プレート）
４１，５１，６１  リブ（補強部材）
５２  第１リング部（第１補強部）
５３  第２リング部（第２補強部）
６２  リング部（第１補強部）
６３，６４  直線部（第２補強部）
【図１】
2014173611.tif 000003
【図２】
2014173611.tif 000004
【図３】
2014173611.tif 000005
【図４】
2014173611.tif 000006
【図５】
2014173611.tif 000007
【図６】
2014173611.tif 000008
【図７】
2014173611.tif 000009
【図８】
2014173611.tif 000010